(57)【特許請求の範囲】
【請求項１】
ハンドル操作に連動回転するロータの支持アームの前部に、ベール及び釣糸案内部を有するベール支持部材を釣糸巻取り位置と釣糸放出位置とに反転可能に振り分け保持した魚釣用スピニングリールにおいて、
前記ベール支持部材の釣糸巻取り位置から釣糸放出位置への反転操作に連動して移動すると共に、弾性変形可能な弾性部を一体形成した弾性支持板を装着固定した反転部材を設け、
前記弾性部に制動体を設けて、この制動体を、前記ベール支持部材を釣糸巻取り位置から釣糸放出位置に反転させた際、前記リール本体の前部に形成した制動部に当接可能としたことを特徴とする魚釣用スピニングリール。
【請求項２】
前記弾性支持板は、前記弾性部の基部両側において、前記反転部材に固定手段を介して回り止め固定されていることを特徴とする請求項１に記載の魚釣用スピニングリール。
【発明の詳細な説明】
【０００１】
【発明の属する技術分野】
本発明は、ハンドルの巻き取り回転操作に伴って連動回転するロータに、ベール及び釣糸案内部を有する支持部材を釣糸巻取り状態と釣糸放出状態に反転自在に支持した魚釣用スピニングリールに関する。
【０００２】
【従来の技術】
魚釣用スピニングリールは、ハンドルの巻き取り回転操作によって、連動回転するロータ及び前後動するスプールとを備えた構造となっており、前記ロータには、スプールの周りを回転する一対の支持アームが取り付けられている。これら一対の支持アームの前部には、ベール支持部材が振り分けバネによって反転可能に支持されており、一方のベール支持部材には釣糸案内部が装着されている。そして、これらのベール支持部材には、夫々釣糸をピックアップするベールの基端部が取り付けられている。
【０００３】
上記した構成の魚釣用スピニングリールによれば、ベール（ベール支持部材）を釣糸巻取り位置から釣糸放出位置に起こし、この状態で釣竿を勢い良く振り下ろすことで、仕掛けの投擲が行われる。そして、仕掛けが着水した後は、ベール（ベール支持部材）を復帰させる（ハンドルの巻取り方向への回転操作、あるいは手動による復帰操作）ことで釣糸をピックアップして釣糸案内部に移行させ、釣糸巻き取り状態に移る。
【０００４】
この一連の操作において、釣竿を振り下ろして仕掛けを放出する際の勢いや、不要なハンドル回転等の影響により、支持アーム前部に釣糸放出位置に保持されているベール支持部材が、ロータの不要な回転によって釣糸巻取り位置に誤復帰してしまい、釣糸が仕掛けと共に切断等してしまうことがある。
【０００５】
そこで、このような釣糸放出時のロータの不要な回転によって生じる誤復帰を防止する手段として、実開昭５６−５０２７３号（公知例１）や、特開平１１−６９９３１号（公知例２）に開示されているような誤復帰防止装置を組み込んだ魚釣用スピニングリールが提案されている。
【０００６】
公知例１には、釣糸巻取り状態から放出状態へのベール開放反転時に連動するキックレバー先端部に固定した制動部材を、ボディ前部に接触させることで、ロータの不要な回転を防止する構成が開示されている。また、公知例２には、釣糸巻取り状態から放出状態へのベール開放反転操作に連動するキックレバー先端部を、ボディ前部に巻着した環状弾性体（Ｏリング）に接触させることで、ロータの不要な回転を防止する構成が開示されている。
【０００７】
【発明が解決しようとする課題】
しかし、上記公知例１に開示されている技術では、ベールの開放反転時のバネ付勢力を、ロータのブレーキ保持力として作用させるため、ハンドル回転操作によるロータの釣糸放出状態から巻取り状態への復帰回転操作がその分重くなってしまい、復帰操作性が悪いと共に、ベールの釣糸放出位置における付勢保持状態（節度保持力）が安定しない。
【０００８】
また、上記公知例２に開示されている技術においても、前記公知例１と同様、振り分けバネの付勢力を利用してロータに制動力を付与する構成のため、ハンドル回転操作によるロータの釣糸放出状態から巻取り状態への復帰回転操作が重く、復帰操作性が悪いと共に、ベールの釣糸放出位置における付勢保持状態（節度保持力）が安定しない。さらに、伸ばされた状態で取着される環状弾性体（Ｏリング）が経年変化等によって劣化し易く、また、寸法もバラツキ易いため、ブレーキ性能及び耐久性が劣ってしまう。
【０００９】
本発明は、上記問題に基づいてなされたものであり、釣糸放出状態から釣糸巻取り状態への復帰操作性が良いと共に、ベールの釣糸放出位置における付勢保持力（節度保持力）が安定し、ブレーキ性能及び耐久性の良い誤復帰防止装置を組み込んだ魚釣用スピニングリールを提供することを目的とする。
【００１０】
【課題を解決するための手段】
上記課題を解決するために、本発明の魚釣用スピニングリールは、ハンドル操作に連動回転するロータの支持アームの前部に、ベール及び釣糸案内部を有するベール支持部材を釣糸巻取り位置と釣糸放出位置とに反転可能に振り分け保持した構成において、前記ベール支持部材の釣糸巻取り位置から釣糸放出位置への反転操作に連動して移動すると共に、弾性変形可能な弾性部を一体形成した弾性支持板を装着固定した反転部材を設け、前記弾性部に制動体を設けて、この制動体を、前記ベール支持部材を釣糸巻取り位置から釣糸放出位置に反転させた際、前記リール本体の前部に形成した制動部に当接可能としたことを特徴とする。
【００１１】
上記した構成によれば、支持アームの前部に回動可能に支持されたベール支持部材を釣糸放出位置に反転させると、それに伴って弾性変形可能な制動体を備えた反転部材が移動し、リール本体に設けられた制動部に対して制動体が弾性変形しつつ圧接し、ロータに制動力が付与される。そして、ベールが釣糸巻取り位置に反転されると、反転部材は元の位置に移動され、リール本体の制動部から制動体が離間する。
【００１４】
【発明の実施の形態】
図１は、本発明に係る魚釣用スピニングリールの第１の実施形態を示す側面図である。最初に、図１を参照して、魚釣用スピニングリールの全体構成について説明する。
【００１５】
魚釣用スピニングリール１は、釣竿に装着するための竿取付け部２ａが形成されたリール本体２と、リール本体前方に回転可能に配されたロータ３と、ロータ３の回転運動と同期して前後動可能に配されたスプール５と、ロータを回転駆動すると共に、スプールを前後動させるように、リール本体２に回転可能に支持されたハンドル６とを有している。
【００１６】
前記ロータ３には、一対の支持アーム３ａが形成されており、夫々の前端部には、ベール７の基端部を取り付けたベール支持部材（以下、支持部材と称する）９が、釣糸巻取り位置と釣糸放出位置に反転可能に振り分け保持されている。なお、ベール７の一方の基端部は、支持部材９に一体的に設けられた釣糸案内部１０に取り付けられている。
【００１７】
上記した構成により、ハンドル６を巻取り操作することで、ロータ３が回転駆動され、かつスプール５が前後動されるので、釣糸は、釣糸案内部１０を介してスプール５に均等に巻回される。また、釣糸の放出（仕掛けの投擲）は、支持部材９（ベール７）を、図１に示す位置から釣糸放出位置に反転操作して、釣糸を釣糸案内部１０から外した状態とし、釣竿を振り下ろすことで行なわれる。
【００１８】
次に、釣糸を放出すべく支持部材９を反転操作した際、支持部材９の釣糸放出位置での安定化を図るための誤復帰防止装置の構成及び動作について、図２乃至図９を参照して説明する。なお、これらの図において、図２及び図３は、ロータの支持アームの内部構成を示した図であり、夫々釣糸巻取り位置と釣糸放出位置を示す図、図４及び図５は、ロータの全体構成を示す図において、支持部アーム部分を切欠いた部分断面図であり、夫々釣糸巻取り位置と釣糸放出位置を示す図、図６及び図７は、夫々図４及び図５の要部を拡大して示す図、そして、図８及び図９は、夫々図４及び図５のＡ−Ａ線、Ｂ−Ｂ線に沿った断面図である。
【００１９】
誤復帰防止装置１５は、ロータ３の一方の支持アーム３ａ内に配設されており、本実施形態では、釣糸案内部１０が設けられている側の支持アーム内に配設されている。
【００２０】
支持部材９は、支持アーム３ａ内にピン１７によって回動可能に支持されると共に、後述する振り分けバネによって、釣糸放出位置と釣糸巻取り位置に振分け保持されるよう構成されている。前記支持部材９のピン１７の周囲には、円弧状の長孔９ａが形成されており、支持部材９を回動させた際、支持アーム３ａに突出形成された凸部３ｂに沿って長孔９ａが案内されるようになっている。
【００２１】
支持アーム３ａの略中心部分には、回転可能な保持部３ｃが設けられており、この保持部３ｃには、それを略中心として回動可能となるように、棒状の作動部材２０が支持されている。保持部３ｃを中心として棒状の作動部材２０の一端側には、外側に屈曲した突部２１が形成されており、これは支持部材９の回動支持部近傍に保持されている。また、作動部材２０の他端側は、リール本体側に向けて延出しており、支持部材９が釣糸巻取り位置から釣糸放出位置に反転された際に、その先端部２０ａが以下に述べる反転部材に係合可能となっている。なお、保持部３ｃと突部２１との間には、コイル状の振り分けバネ２２が配設されており、支持部材９を釣糸巻取り位置と釣糸放出位置との間で振り分け保持するようになっている。
【００２２】
図４及び図５に示すように、ロータ３の円筒部３ｄと支持アーム３ａとの間に形成されている接続部には、その下面側からビス２５を介して、反転部材３０がロータの回転軸と略直交する面内において回動可能に支持されている。この反転部材３０の側部には、支持アーム３ａの内部空間に位置するように、係合突部３０ａが上方側に向けて突出形成されており、ここに、支持部材９の釣糸放出位置への反転動作に伴って回動する作動部材２０の先端部２０ａが係合するようになっている（図２及び図３参照）。
【００２３】
また、反転部材３０には、ビス２５を中心として回動された際、ロータの中心側に向けて入り込むキック部３０ｂが形成されていると共に、その表面には、弾性変形可能な側壁部（弾性部）３０ｂ´´を具備した弾性支持板３０ｂ´が一体的に装着固定されている。この場合、弾性支持板３０ｂ´は、リール本体２の前部に嵌入固定されたリング状の制動部２ｂの外周面に圧接する制動体３０ｃを備えており、この制動体３０ｃは、図８に示すように、リング状の制動部２ｂの接線方向に延出する板状片に形成されて、弾性支持板３０ｂ´の側壁部３０ｂ´´を挟持するように設けられている。そして、反転部材３０が回動駆動された際に、図９に示すように、その先端側が、側壁部３０ｂ´´と共に弾性変形して、制動部２ｂの外周面に圧接するようになっている。
【００２４】
図１０〜図１２は、上記した弾性支持板３０ｂ´を組み付けた反転部材３０の構成を示す図であり、図１０は平面図、図１１は図１０をＣ方向から見た図、図１２は図１０をＤ方向から見た図である。
【００２５】
本実施の形態では、反転部材３０と弾性支持板３０ｂ´は、夫々別体として形成されており、弾性支持板３０ｂ´は、反転部材３０の回動支持領域に形成された凹状平坦部３０ｄに載置されるようになっている。なお、弾性支持板３０ｂ´は、前記側壁部３０ｂ´´が弾性変形しやすいように、ステンレス鋼やリン青銅等のバネ性を有する板状のプレス材等によって形成されている。
【００２６】
弾性支持板３０ｂ´には、前記ビス２５が取り付けられるように、反転部材３０に形成されているビス孔に対応するビス孔３０ｅが形成されると共に、反転部材３０のキック部３０ｂ側を略直角に折り曲げて、前記側壁部３０ｂ´´が一体形成されている。この場合、側壁部３０ｂ´´は、連結部３０ｆを介して弾性支持板３０ｂ´の本体と連結されており、側壁部３０ｂ´´は、この連結部３０ｆを介して、図１０の矢印方向に弾性変形し易いように構成されている。また、弾性支持板３０ｂ´の端部には、側壁部３０ｂ´´と反対側に屈曲された屈曲部３０ｇが形成されており、反転部材３０に形成された凹所３０ｈと係合して、組み付け時の位置決めを容易にすると共に、固定状態を安定させるようにしている。
【００２７】
前記側壁部３０ｂ´´には、両端に凹部３０ｉが形成されており、この部分に、上記した制動体３０ｃが巻き付けられるようにして抜け止め固着され、側壁部３０ｂ´´を挟持している。この場合、制動体３０ｃは、それ自体で弾性変形するようなゴム糸材料や、或いは、それ以外にも、摩擦係数の大きいコルク材等によって形成しておくのが好ましく、側壁部３０ｂ´´を介して矢印方向に弾性変形可能に保持されている。なお、制動体３０ｃが矢印方向に弾性変形可能な材料で形成されている場合は、そのような制動体を保持する部分は弾性変形可能（弾性変形可能な側壁部）に構成されていなくても良い。
【００２８】
上記した制動部２ｂは、リール本体２の前部に直接形成しても良いが、図に示す実施形態のように、別体のリング状で形成するこが、リール本体２の材料や、表面処理の制約を受けることなく自由度が増すので好ましい。また、制動部２ｂは、樹脂やアルミニウム合金、銅合金、マグネシウム合金、ステンレス鋼等の金属材料に必要に応じて表面処理が施される。
【００２９】
また、上記した制動体３０ｃは、ロータ３が釣糸巻取り方向（図８及び図９の矢印方向）に回転した際、その回転方向と反対側の端部が、制動部２ｂに対して弾性的に変形した状態で接触するようになっており、ロータの回転性を良好にしている。
【００３０】
一方、リール本体２の前面部には、反転部材３０が回動駆動された状態において、ロータ３が釣糸巻取り方向に回転駆動された際、キック部３０ｂが当接可能となる位置に、反転用突部２ｃがロータ側に向けて突出形成されている。この反転用突部２ｃには、キック部３０ｃが当て付いた際、反転部材３０を円滑に反転させるようにテーパが形成されている。
【００３１】
次に、上記した構成の誤復帰防止装置の動作について説明する。
支持部材９を、図１に示す釣糸巻取り位置から、釣糸放出位置に回動操作すると、図２及び図３に示すように、凸部３ｂに沿って長孔９ａが回動する。この回動に伴い、作動部材２０は、保持部３ｃを中心として回動させられ、その先端部２０ａが反転部材３０の係合突部３０ａに係合するようになる。そして、係合突部３０ａは、作動部材２０の先端部２０ａによって押され、これにより、反転部材３０は、ビス２５を中心として回動させられる。
【００３２】
反転部材３０が回動すると、それに設けられている弾性支持板３０ｂ´も一体的に回転し、側壁部３０ｂ´´に設けられた制動体３０ｃは、図７及び図９に示すように、その先端部分が側壁部３０ｂ´´を介して弾性変形しながら、リール本体の前部に設けられたリング状の制動部２ｂの外周面に圧接させられる。これにより、ロータ３は、制動体３０ｃと制動部２ｂの外周面との間の摩擦力によって回転が規制された状態となる。従って、釣糸を放出する際にロータ３の不要な回転が防止され、ロータの回転に伴う支持部材９の釣糸巻取り位置への誤復帰が確実に防止される。
【００３３】
また、反転部材３０のキック部３０ｂがロータの中心側に向けて入り込んでいるため、仕掛け投擲後、ハンドルを巻取り操作すると、ロータの矢印方向への回転によってキック部３０ｂは、リール本体に突出形成された反転用突部２ｃによってキックされ、図８に示した位置に戻される。これに伴い、作動部材２０は、図３に示す状態から図２に示す状態に回動され、支持部材９は、振り分けバネ２２の死点を超えた時点で釣糸巻取り位置に反転復帰される。
【００３４】
上記した誤復帰防止装置によれば、支持部材９の振り分けバネ２２による釣糸放出位置への反転保持力は、ロータ制動力に直接作用しない独立した構成になっており、反転部材３０の回動は振り分けバネによって位置決めされるものでもないことから、ハンドル回転操作による釣糸放出状態から釣糸巻取り状態への復帰操作が軽快に行なえるようになる。また、制動体３０ｃの先端側を、弾性支持板３０ｂ´に一体形成された弾性変形可能な側壁部３０ｂ´´を介してリング状の制動部２ｂの外周面に弾性変形するように圧接させて制動力を与える構成にしたことから、簡単な構成でベール反転時のブレーキ力の安定が図れると共に、作成誤差、経年変化等による制動部２ｂに対する位置変化が吸収され、支持部材９の釣糸放出位置での節度保持力が安定して、確実な誤復帰防止効果が得られる。さらに、制動体３０ｃをリング状に構成しないことから、その劣化や耐久性が低下し難く、ブレーキ性能を長期に亘って安定して維持することが可能となる。
【００３５】
また、反転部材に弾性支持板が一体ユニット化される構成としているため、取扱いが容易になると共に、その組み込み性も向上する。
ここで、反転部材３０に弾性支持板３０ｂ´を一体ユニット化するにあたっての各種の変形例を説明する。
【００３６】
図１３〜図１５は、第１の変形例を示す図であり、図１３は平面図、図１４は図１３をＥ方向から見た図、図１５は図１３をＦ方向から見た図である。
この変形例では、弾性支持板３０ｂ´本体をキック部３０ｂ側に向けて延出させると共に、その延出端部に係止孔３０ｋを形成し、これを反転部材３０に突出形成したボス３０ｍに挿入することで、弾性支持板３０ｂ´を位置決めするように構成されている。また、弾性支持板３０ｂ´の屈曲部３０ｇの側部には、弾性変形可能な突部３０ｇ´が形成されており、これが反転部材３０に形成された凹所３０ｈの側面と係合することで、弾性支持板３０ｂ´は、ガタ付くことなく弾性係止されるようになっている。
【００３７】
すなわち、弾性支持板３０ｂ´は、弾性変形する側壁部３０ｂ´´の基部（連結部３０ｆ）の両側が、反転部材３０のボス３０ｍ、及び突部３０ｇ´によって回り止め固定された状態となる。
【００３８】
このように、負荷が作用する基部の両側を、上記のような固定手段によって位置決め固定することで、弾性支持板３０ｂ´は、反転部材３０に対するガタ付きが確実に抑えられるようになり、この結果、図１６及び図１７に示すように、ベール反転時において、反転部材３０が作動部材２０によって回動駆動された際、ロータに対するブレーキ力が安定すると共に、良好なブレーキ力を維持できるようになる。
【００３９】
なお、上述したような固定手段は、ボスによる係合以外にも、図１８及び図１９に示す第２変形例のように、ビス３０ｐによるネジ止めや、図２０及び図２１に示す第３変形例のように、反転部材３０に位置決め用の突部３０ｓを形成しておき、弾性支持板３０ｂ´を装着した後、カシメによって固定する等、種々変形することが可能である。
【００４０】
また、上述した反転部材３０は、支持部材９が釣糸放出位置に回動された際、振り分けバネ２２の振り分け保持力が作用しない部材（部分）によって駆動されるものであれば、その作動部材２０の構成については種々変形することが可能である。更に、上述した制動体３０ｃは、支持部材９を反転操作して、反転部材３０が回動された際に、リング状の制動部２ｂの外周面に圧接できるよう構成されていればその形状について種々変形することが可能である。
【００４１】
具体的には、例えば、図２２及び図２３に示す変形例のように、反転部材３０の弾性支持板３０ｂ´の側壁部３０ｂ´´側面に取着される制動体３０ｃ´を、多少の肉厚をもって形成し、その先端内側を制動部２ｂの外周面に圧接できるように構成する等、適宜変形することが可能である。なお、このような変形例によれば、制動体３０ｃ´が、接触方向に対して多少の肉厚があるため、制動力が向上すると共に制動状態が安定するようになる。
【００４２】
また、上述した構成では、弾性支持板３０ｂ´は、反転部材３０と別体として形成されていたが、反転部材と共に一体形成されたものであっても良い。また、制動体３０ｃは、反転部材に一体形成、或いは別途取り付けられる弾性変形可能なバネ材に対して取着される構成であっても良い。
【００４３】
図２４及び図２５は、本発明の第２の実施形態を示す図であり、魚釣用スピニングリールに設けられる誤復帰防止装置の構成を示している。なお、この実施形態では、図８及び図９と対応する構成が示されており、前記実施形態と同一の構成部分については、同一の参照符号が付してある。
【００４４】
この実施形態における反転部材５０は、前記第１の実施形態の反転部材３０と同様、ロータの円筒部と支持アームとの間に形成された接続部の下面部分に、ビス５５を介して、ロータの回転軸と略直交する面内において回動可能に支持されている。この反転部材５０の側部には、ロータの支持アームの内部空間に位置するように、係合突部５０ａが上方側に向けて突出形成されており、ここに、図２に示した支持部材９の釣糸放出位置への反転動作に伴って回動する作動部材２０の先端部２０ａが係合するようになっている。
【００４５】
前記反転部材５０のスプール側表面には、前記接続部側に向けて突起５０ｂが形成されると共に、前記接続部の下面部分には、その突起を収容可能な穴部３ｈが形成されている。また、反転部材５０とビス５５の頭部との間には、バネ５７が配設されており、反転部材５０を接続部側に向けて付勢している。
【００４６】
前記突起５０ｂと、それを収容する穴部３ｈは、図２４（ａ）に示すように、反転部材５０が図３に示すように作動部材２０によって回動された際、その先端のキック部５０ｃの先端がリング状の制動部２ｂに当接した状態で保持されるような位置関係に設定されている。
【００４７】
すなわち、反転部材５０は、切換機構、具体的には、上記したような突起５０ｂ、それを収容する穴部３ｈ、及びバネ５７によって、リング状の制動部２ｂに対する制動位置と非制動位置が切換えられるようになっている。
【００４８】
また、制動部２ｂには、径方向に突出する反転用突部２ｄが突出形成されており、ハンドルを巻取り操作して、ロータが回転した際、反転部材５０のキック部５０ｃが当て付けられて、反転部材５０を図１２に示す非制動位置に復帰させるようになっている。従って、前記した突起５０ｂ、それを収容する穴部３ｈ、及びバネ５７は、キック部５０ｃが反転用突部２ｄに当て付いた際、突起５０ｂが穴部３ｈから容易に外れるように構成されている。
【００４９】
このような切換機構を備えた構成においても、上述した実施形態と同様な作用効果が得られ、更には、反転部材に上述したような制動体を設けておく必要が無いために、制動体の劣化の問題が生じることはない。なお、このような構成では、リング状の制動部２ｂは、キック部５０ｃとの間で摩擦力が大きい樹脂やゴム糸の材料、或いは金属材料の表面を粗面に加工したり、又は摩擦係数が大きくなる塗料を塗布する等の方法で適宜処理される。
【００５０】
【発明の効果】
以上、本発明の構成によれば、釣糸放出状態から釣糸巻取り状態への復帰操作性が良いと共に、ベールの釣糸放出位置における付勢保持力（節度保持力）が安定した誤復帰防止装置を組み込んだ魚釣用スピニングリールが得られる。
【図面の簡単な説明】
【図１】本発明に係る魚釣用スピニングリールの第１の実施形態を示す側面図。
【図２】ロータの支持アームの内部構成を示し、釣糸巻取り位置を示す図。
【図３】ロータの支持アームの内部構成を示し、釣糸放出位置を示す図。
【図４】ロータの全体構成を示す図において、支持アーム部分を切欠いた部分断面図であり、釣糸巻取り位置を示す図。
【図５】ロータの全体構成を示す図において、支持アーム部分を切欠いた部分断面図であり、釣糸放出位置を示す図。
【図６】図４の要部を拡大して示す図。
【図７】図５の要部を拡大して示す図。
【図８】図４のＡ−Ａ線に沿った断面図。
【図９】図５のＢ−Ｂ線に沿った断面図。
【図１０】弾性支持板を組み付けた反転部材の構成を示す平面図。
【図１１】図１０をＣ方向から見た図。
【図１２】図１０をＤ方向から見た図。
【図１３】反転部材に弾性支持板を一体ユニット化するにあたっての第１の変形例を示す平面図。
【図１４】図１３をＥ方向から見た図。
【図１５】図１３をＦ方向から見た図。
【図１６】図１３〜図１５に示す変形例において、ロータに制動力が付与されていない状態を示す図。
【図１７】図１３〜図１５に示すに示す変形例において、ロータに制動力が付与されている状態を示す図。
【図１８】反転部材に弾性支持板を一体ユニット化するにあたっての第２の変形例を示す平面図。
【図１９】図１８をＧ方向から見た図
【図２０】反転部材に弾性支持板を一体ユニット化するにあたっての第３の変形例を示す平面図。
【図２１】図２０をＨ方向から見た図
【図２２】反転部材に設けられる制動体の変形例を示す図であり、ロータに制動力が付与されていない状態を示す図。
【図２３】図２２に示す構成において、ロータに制動力が付与されている状態を示す図。
【図２４】本発明に係る魚釣用スピニングリールの第２の実施形態の要部におけるロータに制動力が付与されていない状態を示す図であって、（ａ）は、反転部材の構成を示す図、（ｂ）は、反転部材の支持構造を示す断面図。
【図２５】図２４に示した構成において、ロータに制動力が付与されている状態を示す図であって、（ａ）は、反転部材の構成を示す図、（ｂ）は、反転部材の支持構造を示す断面図。
【符号の説明】
１  魚釣用スピニングリール
２  リール本体
２ｂ  制動部
３  ロータ
３ａ  支持アーム
５  スプール
７  ベール
９  ベール支持部材
１０  釣糸案内部
１５  誤復帰防止装置
２０  作動部材
３０，５０  反転部材
３０ｂ´  弾性支持板
３０ｂ´´  側壁部（弾性部）
３０ｃ  制動体
【図１】
0003983018.tif 000002
【図２】
0003983018.tif 000003
【図３】
0003983018.tif 000004
【図４】
0003983018.tif 000005
【図５】
0003983018.tif 000006
【図６】
0003983018.tif 000007
【図７】
0003983018.tif 000008
【図８】
0003983018.tif 000009
【図９】
0003983018.tif 000010
【図１０】
0003983018.tif 000011
【図１１】
0003983018.tif 000012
【図１２】
0003983018.tif 000013
【図１３】
0003983018.tif 000014
【図１４】
0003983018.tif 000015
【図１５】
0003983018.tif 000016
【図１６】
0003983018.tif 000017
【図１７】
0003983018.tif 000018
【図１８】
0003983018.tif 000019
【図１９】
0003983018.tif 000020
【図２０】
0003983018.tif 000021
【図２１】
0003983018.tif 000022
【図２２】
0003983018.tif 000023
【図２３】
0003983018.tif 000024
【図２４】
0003983018.tif 000025
【図２５】
0003983018.tif 000026